(57)【要約】【課題】  立体感のある表示を行うメータ装置において、コスト抑制、スペース効率の向上、照明照度の安定、照明輝度の確保を図ること。【解決手段】  光透過性の光透過部８ａを有した文字盤８と、文字盤８の背後に設けた光源としての発光ダイオード１１と、を備えたメータ装置であって、透明素材で形成した透明表示部材１２を、文字盤８の表面に光透過部８ａに重ねて設けたことを特徴とする。【選択図】            図１
2006292485.tif 000002
【特許請求の範囲】
【請求項１】
光透過性の光透過部を有した文字盤と、
文字盤の背後に設けた光源と、
を備えたメータ装置であって、
透明素材で形成した透明表示部材を、前記文字盤の表面に光透過部に重ねて設けたことを特徴とするメータ装置。
【請求項２】
前記透明表示部材において、前記光透過部と重なる部位に、周囲よりも高さを高くした立体部を形成したことを特徴とする請求項１に記載のメータ装置。
【請求項３】
前記文字盤の光透過部が、指針の回動軌跡に対応して配置した目盛部と、この目盛部の外周に円弧状に設けた加飾リングと、を備え、
前記立体部が、加飾リングに重ねた加飾リング用立体部と、目盛部に重ねた目盛用立体部と、を備え、
前記加飾リング用立体部が、目盛用立体部よりも高く形成したことを特徴とする請求項２に記載のメータ装置。
【請求項４】
前記加飾リング用立体部の内周側面形状を、高い位置ほど目盛用立体部から離れるように傾斜させた形状としたことを特徴とする請求項３に記載のメータ装置。
【請求項５】
前記透明表示部材の裏面に着色印刷したことを特徴とする請求項２〜請求項４のいずれか１項に記載のメータ装置。
【請求項６】
前記加飾リング用立体部が複数設けられ、
これら複数の加飾リング用立体部の高さを異ならせたことを特徴とする請求項５に記載のメータ装置。
【請求項７】
前記光源を複数設けており、各光源と前記透明表示部材の設置面との距離を均一としたことを特徴とする請求項１〜請求項６のいずれか１項に記載のメータ装置。
【請求項８】
前記文字盤が、文字盤透光型のメータ装置の文字盤であることを特徴とする請求項１〜請求項７のいずれか１項に記載のメータ装置。
【請求項９】
前記文字盤が、装置前面に透光率を抑えてコントラストを強調するメータカバーを有して常時点灯のハイコントラスト表示を行うメータ装置の文字盤であることを特徴とする請求項１〜７のいずれか１項に記載のメータ装置。
【発明の詳細な説明】
【技術分野】
【０００１】
本発明は、自動車などに採用するのに適したメータ装置に関するものであり、特に、立体感のある表示を行う技術に関する。
【背景技術】
【０００２】
従来、メータ装置において、立体感のある表示を行うものが知られている。このようなメータ装置としては、文字盤と、この文字盤の裏面に設けた第１の光源と、文字盤上に設けた導光体と、導光体内に光を入射する第２の光源と、導光体に設けた反射部と、を有し、文字盤による平面的な目盛表示に加えて、文字盤の上に設けた導光体による目盛表示を行って、目盛表示を立体的に行う装置がある（例えば、特許文献１参照）。
【０００３】
また、文字盤の裏側に空気層を介在させて反射板を設け、光源の直接光と、反射板による反射光とを、文字盤の裏面に照射し、さらに、この照射光が光源から遠ざかるにしたがって次第に減少するようにし、文字盤の所定部位の明るさを、平面方向に徐々に変化させるグラデーションを与えて、立体感を持たせた表示を行うようにした装置がある（例えば、特許文献２参照）。
【特許文献１】特開２００３−３０２２６２号公報
【特許文献２】特開２００４−１７７３７２号公報
【発明の開示】
【発明が解決しようとする課題】
【０００４】
しかしながら、前者の従来技術にあっては、第１の光源により照明する文字盤に加え、第２の光源により照明する導光体を設けた構成であるため、部品点数が多くコスト的に不利であるとともに、これらを設置するスペースが必要でユニットの大型化を招いてスペース効率が悪化するおそれがある。さらに、導光体において、第２の光源の光を屈折させて目盛立体部分に導いていたため、光源から目盛立体部分までの距離が遠いとともに、屈折により各表示と光源との距離が異なり、照明照度が安定しない。
【０００５】
また、後者の従来技術にあっては、文字盤の裏側に空気層および反射板を設けてグラデーション照明を行うため、文字盤の裏側に奥行きが必要で、ユニットの大型化を招いてスペース効率が悪化するおそれがあるとともに、光源と文字盤の目盛立体部分との距離が遠くなり、照明輝度が低下する。
【０００６】
そこで、本発明は、立体感のある表示を行うメータ装置において、コスト抑制、スペース効率の向上、照明照度の安定、照明輝度の確保を図ることを目的とするものである。
【課題を解決するための手段】
【０００７】
本発明は、上述事情に鑑みなされたものであって、光透過性の光透過部を有した文字盤と、文字盤の背後に設けた光源と、を備えたメータ装置であって、透明素材で形成した透明表示部材を、前記文字盤の表面に光透過部に重ねて設けたことを最も主要な特徴とするメータ装置である。
【発明の効果】
【０００８】
本発明によれば、光源の光が文字盤の光透過部を光らせて表示し、さらに、この光透過部を通過して透明表示部材に入光されて、透明表示部材の表面を光らせて表示する。
【０００９】
したがって、文字盤の光透過部における表示と、透明表示部材の表面における表示と、が高さを異ならせて成され、奥行き感および立体感を有した表示が可能となる。
【００１０】
以上のように、本発明では、奥行き感および立体感を有した３次元的な表示が、文字盤の光透過部に透明表示部材を重ねて設けただけの簡単な構成で可能となる。よって、新たな光源の追加が不要で、部品点数を抑えることができコスト的に有利であるとともに、部品点数を抑えた分だけスペース効率が良くなり、加えて、文字盤の背後に空気層や反射板用のスペースを設ける必要が無いことからも、大型化を抑えることができ、スペース効率が良くなる。
【００１１】
しかも、透明表示部材には文字盤の光透過部から直接入光するため、透明表示部材と光源との距離が近く、照明輝度の低下を抑えることができるとともに、光の複雑な屈折を抑えて照明照度の安定化を図ることができる。
【発明を実施するための最良の形態】
【００１２】
以下、本発明の実施の形態を図面に基づいて説明する。
【００１３】
この実施の形態のメータ装置は、光透過性の光透過部８ａを有した文字盤８と、文字盤８の背後に設けた発光ダイオード１１と、を備え、透明素材で形成した透明表示部材１２を、文字盤８の表面に光透過部８ａに重ねて設けたことを特徴とする。
【実施例１】
【００１４】
図２は、この発明の最良の実施の形態の実施例１のメータ装置Ａを運転者側から見た正面図である。
【００１５】
この実施例１のメータ装置Ａは、車速計１、回転数計２、燃料計３、水温計４を備えた、いわゆるコンビネーションメータと呼ばれるもので、図外の運転席の前方において運転者から視認できる位置に設置している。
【００１６】
車速計１、回転数計２、燃料計３、水温計４は、それぞれ、情報を運転者に視認させるために、目盛部１ａ，２ａ，３ａ，４ａと、指標部１ｂ，２ｂ，３ｂ，４ｂと、指針１ｃ，２ｃ，３ｃ，４ｃと、および加飾リング１ｄ，２ｄ，３ｄと備えている。
【００１７】
目盛部１ａ，２ａ，３ａ，４ａは、指針１ｃ，２ｃ，３ｃ，４ｃの先端部の回動軌跡に沿って、太く表示した主目盛５およびその他の細い副目盛６を所定間隔で円弧状に配列している。主目盛５は、後述する指標部１ｂ，２ｂ，３ｂ，４ｂの数字や符号を付した位置に対応して配置している。
【００１８】
指標部１ｂ，２ｂ，３ｂ，４ｂは、目盛部１ａ，２ａ，３ａ，４ａの内側に配置し数字やアルファベットの文字あるいは図示を省略した図形を表示している。
【００１９】
加飾リング１ｄ，２ｄ，３ｄは、目盛部１ａ，２ａ，３ａ，４ａの外周に沿ってリング状に縁取りをしたものである。
【００２０】
上述の各目盛部１ａ，２ａ，３ａ，４ａと指標部１ｂ，２ｂ，３ｂ，４ｂと加飾リング１ｄ，２ｄ，３ｄは、後述する発光ダイオード１１の照明によりこれらの部分が光って表示を行うようになっている。
【００２１】
そこで、この照明表示を行う構成について説明するが、この照明表示は、既存の透光型の文字盤８と、新規な透明表示部材１２と、を用いて行うようになっており、まず、文字盤８による照明表示を行う構成について説明する。
【００２２】
すなわち、実施例１のメータ装置Ａは、図１に示すように、ケーシング７に支持された文字盤８と、この文字盤８の表面側、すなわち車両後方側に離間して配置したメータカバー９と、を備えている。また、図３〜図６に示すように、文字盤８の裏面側（車両前方側）には、回路基板１０を離間して平行に配置している。
【００２３】
この回路基板１０には、メータ照明用の光源としての発光ダイオード１１を複数設けている。
【００２４】
文字盤８は、光を透過する透明板材料、例えば、ポリカーボネート、アクリル、塩化ビニールなどの合成樹脂からなる基板に、ホットスタンプやスクリーン印刷などにより目盛部１ａ，２ａ，３ａ，４ａ、加飾リング１ｄ，２ｄ，３ｄ、指標部１ｂ，２ｂ，３ｂ，４ｂ用の数字やアルファベットや図形を印刷している。これらの印刷部分は、透過可能な例えば白や赤などの着色が成されており、光を透過可能な光透過部８ａを構成する。一方、この光透過部８ａ（目盛部１ａ，２ａ，３ａ，４ａの各目盛５，６、指標部１ｂ，２ｂ，３ｂ，４ｂの数字やアルファベットや図形、加飾リング１ｄ，２ｄ，３ｄ）以外の背景部分は、例えば艶消し黒色などの着色が成されて光を透過不可能な遮光部８ｂを構成する。
【００２５】
メータカバー９は、透光性を有した素材、例えば、アクリル・ポリカーボネートなどにより形成された透明な板材であり、運転者は、メータ正面からこのメータカバー９を通して文字盤８の表示を見ることができる。
【００２６】
したがって、発光ダイオード１１を発光させたときには、文字盤８において、光透過部８ａのみを光が透過して、目盛部１ａ，２ａ，３ａ，４ａの各目盛５，６と、指標部１ｂ，２ｂ，３ｂ，４ｂの数字やアルファベットや図形と、加飾リング１ｄ，２ｄ，３ｄと、が照明表示され、運転者はこれを視認できる。
【００２７】
次に、実施例１のメータ装置Ａの特徴的な構成である透明表示部材１２について説明する。
【００２８】
この実施例１のメータ装置Ａには、文字盤８の表面（運転者側の面）に、図１に示すように、透明表示部材１２を固定している。この透明表示部材１２は、例えば、塩化ビニールやアクリルなどの無色で透光性を有した合成樹脂で形成している。
【００２９】
また、透明表示部材１２は、文字盤８の光透過部８ａに重ならせて配置したもので、図２と図７とを比較するとわかるように、光透過部８ａに含まれる目盛部１ａ，２ａ，３ａ，４ａおよび加飾リング１ｄ，２ｄ，３ｄと重なる大きさに形成されている。そして、透明表示部材１２は、文字盤８と一体的に目盛部１ａ，２ａ，３ａ，４ａを形成する目盛用立体部１２ａ，１２ａ，１２ａと、文字盤８と一体的に加飾リング１ｄ，２ｄ，３ｄを形成する加飾リング用立体部１２ｂ，１２ｂ，１２ｂと、加飾リング用立体部１２ｂの外側の外枠部１２ｃと、を有している。
【００３０】
目盛用立体部１２ａは、図３および図６に示すように、指針１ｃ，２ｃの外径方向側ほど高さが高くなる断面形状に形成され、かつ、図４および図５に示すように、主目盛５に対応する位置には、周囲よりも高さを高くした主目盛用立体部１２ｅが形成されている。
【００３１】
また、加飾リング用立体部１２ｂ，１２ｂ，１２ｂは、それ自体が本発明の立体部として周囲よりも高く形成されており、その高さは、主目盛用立体部１２ｅおよび外枠部１２ｃよりも高く形成されているとともに、図示は省略するが指針１ｃ，２ｃ，３ｃよりも高く形成されている。
【００３２】
そして、図３に示すように、回転数計２に設けた加飾リング用立体部１２ｂの高さｈ２よりも車速計１に設けた加飾リング用立体部１２ｂの高さｈ１の方が、高く形成されている。
【００３３】
さらに、加飾リング用立体部１２ｂにおいて、メータ径方向の内外に位置する内周縦壁１２ｆおよび外周縦壁１２ｇには、図５に示すように、基端側ほど拡がる角度ａおよび角度ｂの傾斜を設けている。同様に、主目盛用立体部１２ｅにおいて、メータ径方向に位置する内縦壁１２ｈおよび外縦壁１２ｊに、基端側ほど拡がる角度ｃおよび角度ｄの傾斜を設け、かつ、指針１ｃ，２ｃ，３ｃの回動方向である横縦壁１２ｋ，１２ｋに、基端側ほど拡がる傾斜を設けている。
【００３４】
また、透明表示部材１２の裏面には、裏面印刷部１３を設けている。この裏面印刷部１３は、透光性を有した着色層１３ａと、遮光性を有した遮光層１３ｂとを有している。着色層１３ａは、文字盤８の各目盛５，６と加飾リング１ｄ，２ｄ，３ｄとを形成する光透過部８ａに重ねて配置しており、本実施例１では、加飾リング１ｄ，２ｄ，３ｄに対応する部位は赤色、各目盛５，６に対応する部位は青色に着色している。
【００３５】
そして、回路基板１０に設けた各発光ダイオード１１は、図３〜図６に示すように、それぞれ、透明表示部材１２の文字盤８への設置面との距離Ｌを全て均一に配置している。
【００３６】
次に、実施例１の作用を説明する。
【００３７】
発光ダイオード１１を点灯させたときには、文字盤８の光透過部８ａが照明される。さらに、文字盤８の光透過部８ａを通過した光ｅが、図８に示すように、着色層１３ａを通過し、透明表示部材１２内において矢印ｆで示すように導光され、透明表示部材１２の表面が照明される。
【００３８】
このとき、文字盤８の光透過部８ａにおける表示（目盛部１ａ，２ａ，３ａ，４ａの各目盛５，６、指標部１ｂ，２ｂ，３ｂ，４ｂの数字やアルファベットや図形、加飾リング１ｄ，２ｄ，３ｄの表示）と、透明表示部材１２における表示（目盛部１ａ，２ａ，３ａ，４ａの各目盛５，６、加飾リング１ｄ，２ｄ，３ｄの表示）と、が高さを異ならせて成されることから、立体感および奥行きを持って視認できる。
【００３９】
この奥行き感および立体感を持った視認性は、各立体部１２ａ，１２ｂの縦壁１２ｆ，１２ｇ，１２ｈ，１２ｊの高さと比例関係にあり、縦壁１２ｆ，１２ｇ，１２ｈ，１２ｊの高さを高くするほど強く表れる。
【００４０】
これを図８により説明すると、本実施例１のように透明表示部材１２を設けて加飾リング用立体部１２ｂおよび主目盛用立体部１２ｅの高さを高くした場合の視認エリアｇ１と、透明表示部材１２を設けていない文字盤８のみによる視認エリアｇ２と、を比較すると、実施例１では、透明表示部材１２の高さに比例して視認エリアｇ１が広がり、視認性が高まる。
【００４１】
また、本実施例１では、透明表示部材１２の加飾リング用立体部１２ｂおよび主目盛用立体部１２ｅの高さをその周囲よりも高くしているため、これらの部分において立体感および奥行き感がより強調される。
【００４２】
さらに、本実施例１では、加飾リング用立体部１２ｂの内周縦壁１２ｆに、目盛用立体部１２ａの表面に表示される主目盛５および副目盛６が映り込み、また、主目盛用立体部１２ｅを高くしている分だけ、この部分の映り込み（１２ｅ）の高さが高くなる。
【００４３】
よって、各目盛５，６は、加飾リング用立体部１２ｂの内周縦壁１２ｆへの映り込み部分にも存在しているように見え、実際よりも径を大きく見せることができるとともに、距離差によるグラデーションが生じ、高い視認性と革新的な見え方が得られる。しかも、主目盛５は、主目盛用立体部１２ｅの高さを高くした分だけ、より奥行きおよび立体感を強調して表示できる。
【００４４】
加えて、加飾リング用立体部１２ｂの内外縦壁１２ｆ，１２ｇに傾斜を付けたことにより、これら縦壁１２ｆ，１２ｇへの両目盛５，６の映り込みを増幅できる。すなわち、内外縦壁１２ｆ，１２ｇを直立させた場合よりも映り込みの長さを長くすることができ、上述の目盛径を大きく見せる効果およびグラデーション効果をさらに高めることができる。
【００４５】
また、加飾リング用立体部１２ｂは、指針１ｃ，２ｃ，３ｃ，４ｃよりも高く形成したため、指針よりも低くした場合に比べ、加飾リング２ｄが浮き上がって見えることで、奥行き感および立体感がさらに高まる。
【００４６】
さらに、加飾リング用立体部１２ｂにあっては、車速計１の加飾リング用立体部１２ｂの高さを回転数計２の加飾リング用立体部１２ｂの高さよりも高く形成したため、車速計１の外周の加飾リング１ｄと回転数計２の外周の加飾リング２ｄとで、奥行き感および立体感を異ならせた表示演出ができる。
【００４７】
また、本実施例１では、直接、透明表示部材１２に裏面印刷部１３を設けたため、メータ装置Ａ全体に、艶と光沢が演出され、品質感を向上させることができ、かつ、加飾リング用立体部１２ｂおよび主目盛用立体部１２ｅの位置と、これに着色するための着色層１３ａとの印刷ずれを防止して、質感を向上できる。加えて、裏面印刷部１３に着色層１３ａを設けたことにより、文字盤８の光透過部８ａと透明表示部材１２とに位置のずれが生じた場合に、このずれを着色層１３ａで吸収して、色ずれが生じるのを防止でき、これによっても質感を向上できる。
【００４８】
加えて、透明表示部材１２に裏面印刷部１３を設け、透明表示部材１２と着色層１３ａと光透過部８ａとの間に、空気層を介在させることを無くしたため、輝度低下を抑制できるとともに、光の屈折を抑えて照明照度の安定化を図ることができ、質感を向上させることができる。
【００４９】
以上説明したように、本実施例１のメータ装置Ａは、既存の透光型の文字盤８の表面に透明表示部材１２を追加しただけの構成で、文字盤８の光透過部８ａからの光をそのまま透明表示部材１２に入光させることで、奥行き感および立体感を有した３次元的な表示を行うことができる。よって、新たな光源の追加や、文字盤８の裏面に反射板や空気層を設けることが不要で、部品点数を抑えてコスト的に有利であり、かつ、スペース効率に優れた構成によりこの３次元的な表示が可能となるという効果を奏する。
【００５０】
さらに、本実施例１では、透明表示部材１２を設けるにあたり、文字盤８の全体ではなく、目盛部１ａ，２ａ，３ａ，４ａと加飾リング１ｄ，２ｄ，３ｄの部分のみに設けているため、文字盤８の全体に設けるよりもコストを抑えることができるとともに、文字盤８の反射を防ぎ、視認性を向上できるという効果が得られる。
【実施例２】
【００５１】
次に、本発明の実施の形態の実施例２のメータ装置について説明する。なお、前記実施例１と同一ないし均等な部分については、同一符号を付して説明を省略し、相違する部分を中心として説明する。
【００５２】
実施例２のメータ装置は、ハイコントラスト表示を行うメータ装置に本発明を適用した例である。
【００５３】
すなわち、実施例２のメータ装置は、図１に示すメータカバー９として、透光率を抑えてコントラストを強調するメータカバーを用いている。また、発光ダイオード１１は、図外のイグニッションスイッチをＯＮにすると点灯する、常時点灯としている。
【００５４】
したがって、実施例２のメータ装置Ｂにあっては、実施例１と同様に、発光ダイオード１１が点灯したときに、奥行き感および立体感のある表示が成される。
【００５５】
このように、透明表示部材１２を文字盤８に追加するだけで、従来できなかった３次元認識のハイコントラスト表示が可能となる。
【００５６】
以上、図面を参照して、本発明の実施の形態および各実施例１ないし２を詳述してきたが、具体的な構成は、この実施の形態および各実施例１ないし２に限らず、本発明の要旨を逸脱しない程度の設計的変更は、本発明に含まれる。
【００５７】
すなわち、本発明の立体部としての目盛用立体部１２ａ、加飾リング用立体部１２ｂ、主目盛用立体部１２ｅの形状や高さの関係は、前記実施の形態の各実施例１ないし２のメータ装置で示した形状や高さに限定されるものではなく、想定する運転者の視点の位置に応じて、最適の奥行き感・立体感・グラデーションが得られるにように、任意に設定してよい。
【００５８】
また、実施例１のメータ装置Ａでは、加飾リング用立体部１２ｂの内周縦壁１２ｆおよびその他の縦壁１２ｇ，１２ｈ，１２ｊを傾斜させたが、この加飾リング用立体部１２ｂは、請求項３に記載の発明のように、目盛用立体部１２ａよりも高く形成するだけでも、奥行き感および立体感のある表示を強調することができるものであり、傾斜を設けた各縦壁１２ｆ，１２ｇ，１２ｈ，１２ｊのいずれかあるいは全てに傾斜を設けない構成としてもよい。
【００５９】
また、光透過部８ａや着色層１３ａの色は、実施例１ないし２で示した色に限定されるものではなく、任意に設定してよい。
【図面の簡単な説明】
【００６０】
【図１】本発明の実施の形態の実施例１のメータ装置Ａを示す縦断面図である。
【図２】本発明の実施の形態の実施例１のメータ装置Ａを示す運転者側から見た正面図である。
【図３】図２のＳ３−Ｓ３線によるである
【図４】図２のＳ４−Ｓ４線によるである
【図５】図２のＳ５−Ｓ５線によるである
【図６】図２のＳ６−Ｓ６線によるである
【図７】本発明の実施の形態の実施例１のメータ装置Ａにおける透明表示部材１２および裏面印刷部１３を示す分解図である。
【図８】本発明の実施の形態の実施例１のメータ装置Ａにおける見え方を説明する説明図である。
【符号の説明】
【００６１】
Ａ     実施例１のメータ装置
８     文字盤
８ａ   光透過部
９     メータカバー
１０   回路基板
１１   発光ダイオード（光源）
１２   透明表示部材
１２ａ 目盛用立体部
１２ｂ 加飾リング用立体部
１２ｅ 主目盛用立体部
１２ｆ 内縦壁（内周側面）
１３   裏面印刷部
【図１】
2006292485.tif 000003
【図２】
2006292485.tif 000004
【図３】
2006292485.tif 000005
【図４】
2006292485.tif 000006
【図５】
2006292485.tif 000007
【図６】
2006292485.tif 000008
【図７】
2006292485.tif 000009
【図８】
2006292485.tif 000010